(57)【要約】【課題】ガス絶縁機器の運搬に手間がかからず、短時間でガスを回収するガス絶縁機器のガス簡易回収方法を提供することにある。【解決手段】  ガス用ホース１２の一方を、ガス絶縁機器１の補給口３に接続し、他方をＳＦ６ガス２０を回収するガス採集袋１０に接続した後、ガス絶縁機器１内部の圧力が、大気圧と同じ圧力となるように補給口３を開弁することで、ＳＦ６ガス２０の一部をガス採集袋１０へ回収する第１のステップと、圧力計４を、ガス絶縁機器１から取り外した後、ガス採集袋１０を接続したガス用ホース１２を補給口３から外して圧力計４の接続口に接続する一方、補給口３から注水を行うことにより、残りのＳＦ６ガス２０をガス用ホース１２を経由してガス採集袋１０へ回収する第２のステップと、からなることにある。【選択図】図１
2011060725.tif 000002
【特許請求の範囲】
【請求項１】
置換ガスを内部に充填するＬＤＳ遮断部と、前記ＬＤＳ遮断部に前記置換ガスの注入／吸引を行う開閉可能な補給口と、前記ＬＤＳ遮断部の内圧を表示する着脱可能な圧力計と、を備えたガス絶縁機器において、ガス絶縁機器内に充填された前記置換ガスを回収するガス簡易回収方法であって、
ホースの一方を、前記ガス絶縁機器の前記補給口に接続し、他方を前記置換ガスを回収するガス採集袋に接続した後、前記ガス絶縁機器内部の圧力が、大気圧と同じ圧力となるように補給口を開弁することで、前記置換ガスの一部を前記ガス採集袋へ回収する第１のステップと、
前記圧力計を、前記ガス絶縁機器から取り外した後、前記ガス採集袋を接続した前記ホースを前記補給口から外して前記圧力計の接続口に接続する一方、前記補給口から注水を行うことにより、残りの置換ガスを前記ホースを経由して前記ガス採集袋へ回収する第２のステップと、からなることを特徴とするガス絶縁機器のガス簡易回収方法。
【請求項２】
前記第１のステップにおいて、前記ガス採集袋を、収縮状態にして前記補給口に接続することを特徴とする請求項１に記載のガス絶縁機器のガス簡易回収方法。
【請求項３】
前記ホース及び／又は前記ガス採集袋を透明としたことを特徴とする請求項１又は２に記載のガス絶縁機器のガス簡易回収方法。
【発明の詳細な説明】
【技術分野】
【０００１】
本発明は、ＬＤＳ（ループ電流開閉用断路器）遮断部内のＳＦ６ガスを効率的に回収するためのガス絶縁機器のガス簡易回収方法に関する。
【背景技術】
【０００２】
ＳＦ６（六フッ化硫黄）ガスは、高電圧電力用トランスや、電力回路の遮断器に充填し、その熱的安定性、電気的安定性、高絶縁耐圧性を生かして装置の小型化を可能としているが、値段が高価であることや、ＣＯ２に比べ温室効果が大きいことから、排出量を抑制するために、当該ガスのリサイクル及び回収率の向上を図る必要があった。
そのため、従来からＳＦ６ガスの回収方法として、真空回収装置を用いてガスを回収する方法や、ガス置換装置を用いて、容器内の圧力を常圧に保ちながら、流通法により空気等とともに排出されるガスを、液化分離して回収する方法も知られている（特許文献１）。
【先行技術文献】
【特許文献】
【０００３】
【特許文献１】特公平５−７８７１８号公報
【発明の概要】
【発明が解決しようとする課題】
【０００４】
しかし、このようなガス回収装置を用いる場合、装置自体が大型であるため、装置の運搬に手間がかかるうえ、回収に時間がかかる。また、真空度をゼロにすることができず、ＳＦ６ガスを全て回収することができなかった。
さらに、ガス絶縁機器を回収装置常置場所に運搬して回収する場合であっても、運搬に手間がかかるといった問題が発生していた。
【０００５】
そこで、本発明は、上記従来の問題点を解消し、ガス絶縁機器の運搬に手間がかからず、短時間でガスを回収するガス絶縁機器のガス簡易回収方法を提供することにある。
【課題を解決するための手段】
【０００６】
上記目的を達成するため、請求項１に記載の発明は、置換ガスを内部に充填するＬＤＳ遮断部と、前記ＬＤＳ遮断部に前記置換ガスの注入／吸引を行う開閉可能な補給口と、前記ＬＤＳ遮断部の内圧を表示する着脱可能な圧力計と、を備えたガス絶縁機器において、ガス絶縁機器内に充填された前記置換ガスを回収するガス簡易回収方法であって、
ホースの一方を、前記ガス絶縁機器の前記補給口に接続し、他方を前記置換ガスを回収するガス採集袋に接続した後、前記ガス絶縁機器内部の圧力が、大気圧と同じ圧力となるように補給口を開弁することで、前記置換ガスの一部を前記ガス採集袋へ回収する第１のステップと、
前記圧力計を、前記ガス絶縁機器から取り外した後、前記ガス採集袋を接続した前記ホースを前記補給口から外して前記圧力計の接続口に接続する一方、前記補給口から注水を行うことにより、残りの置換ガスを前記ホースを経由して前記ガス採集袋へ回収する第２のステップと、からなることにある。
【０００７】
請求項２に記載の発明は、請求項１に記載の発明に加え、前記第１のステップにおいて、前記ガス採集袋を、収縮状態にして前記補給口に接続することにある。
【０００８】
請求項３に記載の発明は、請求項１又は２に記載の発明に加え、前記ホース及び／又は前記ガス採集袋を透明としたことにある。
【発明の効果】
【０００９】
本発明によれば、ガス絶縁機器の運搬をする必要がなく、回収した置換ガスのみを運搬すれば良いため、置換ガスの運搬が短時間で済み、置換ガスの回収費用を安価に抑えることもできる。他にも、置換ガスを大気に放出することなく、全て回収することが可能となる。
また、水を使用することは、手配が容易で大量に使用しても安価であり、使用後はそのまま廃棄が可能である。加えて、水道から接続すれば、圧力調整が容易である。更に、置換ガスは、水への溶解度が低いため不溶性ともいえ、水への溶け込みを考慮することなく全て回収することが可能となる。他にも、ホースを使用するため、たとえ置換ガスがホースに残ったとしても、その残留量を最小限に抑えることができる。
【００１０】
特に、請求項２に記載の発明によれば、第１のステップにおいて、置換ガスを大気に放出することなく、短時間で回収することが可能となる。
【００１１】
他にも、請求項３に記載の発明によれば、ガス採集袋内に置換ガスが溜まるタイミングは、注水した水が透明なホース及び／又はガス採集袋へと溢れ出る状態を視認すれば良く、確認が容易である。そのため、置換ガスの回収の確認に特別な装置を準備したり、置換ガスの量を計測するといったことが不要である。加えて、水の供給スピードを緩める等した慎重な対応も可能となり、ガス採集袋に水が大量に流れ込むおそれがない。
また、透明のホースやテトラーバッグは、一般に市販されている物であるため、容易に入手することが可能である。このうち、テトラーバッグは、軽度の衝撃に耐えうる構造であるため、輸送時の衝撃を考慮する必要がない。
【図面の簡単な説明】
【００１２】
【図１】ガス絶縁機器の全体構成を示す説明図である。
【図２】ＳＦ６ガスの回収方法を示す説明図である。
【発明を実施するための形態】
【００１３】
以下、本発明の実施の形態を図面に基づいて説明する。
【００１４】
図１に示すように、ガス絶縁機器１は、ＳＦ６ガス２０を内部に充填するＬＤＳ遮断部２と、このＬＤＳ遮断部２にＳＦ６ガス２０の注入／吸引を行う開閉可能な補給口３と、ＬＤＳ遮断部２の内圧を表示する着脱可能な圧力計４と、を備えている。このＳＦ６ガスが、本発明の置換ガスである。
【００１５】
このうち、ＬＤＳ遮断部２は、内部には、ＳＦ６ガス２０を、内圧が約０．１５Ｍｐａ、充填量を約５．５Ｌで封入する構造である。
【００１６】
そして、ＳＦ６ガス２０の回収にあっては、図２にも示すように、補給口３に接続される透明なガス用ホース１２と、ガス用ホース１２の他端に接続されてＳＦ６ガス２０を回収する透明なガス採集袋１０と、一方を圧力計４の接続口に装着可能で、他方をガス用ホース１２に接続可能なアダプタ１５と、水２１をＬＤＳ遮断部２に送り込む水用ホース１３とを用いる。このガス用ホースが、本発明のホースである。
【００１７】
また、ガス採集袋１０は、市販されている透明のテトラーバッグ（容量約１０Ｌ）で、ガス用ホース１２や水用ホース１３を接続する接続口１１を備えている。この接続口１１にキャップをすることで密閉可能とする構造である。
【００１８】
次に、アダプタ１５は、流れを規制する開閉レバー１６を備え、ＬＤＳ遮断部２に設けられた圧力計４の接続口から取り外し、交換可能な構造である。
【００１９】
以上の用具を用いて、ガス絶縁機器１内部に充填したＳＦ６ガス２０を、ガス採集袋１０へ回収するガス簡易回収方法は、以下のように行われる。
【００２０】
まず初めに、図１及び図２（ａ）に示すように、ＬＤＳ遮断部２を、圧力計４が上を向くように地上に載置する。そして、このＬＤＳ遮断部２の補給口３にガス用ホース１２を接続する。
【００２１】
次に、図２（ｂ）に示すように、収縮状態にあるガス採集袋１０の接続口１１にガス用ホース１２の他端を接続する。
ここで、収縮状態にあるガス採集袋１０は、ガス採集袋１０内部が真空の状態または空気が殆ど残っていない状態となっている。
そして、補給口３を開弁すると、ＬＤＳ遮断部２内部が大気圧と同じ圧力となるまでＳＦ６ガス２０が吹き出すため、補給口３に接続したガス用ホース１２を経由してガス採集袋１０へと回収される（この時のＳＦ６ガス２０の回収量は約３．３Ｌである）。
その後、ＬＤＳ遮断部２内部が大気圧と同じ圧力となり、ＳＦ６ガス２０が吹き出さなくなったところで補給口３を閉弁する。そして、この補給口３に接続していたガス用ホース１２端部を取り外す。
【００２２】
次に、図２（ｃ）に示すように、補給口３に水用ホース１３の一方を接続する。そして、圧力計４を、ガス絶縁機器１から取り外した後、アダプタ１５の一方を、この圧力計４の接続口に取り替え、他方をガス用ホース１２に接続する。この時、開閉レバー１６が閉の位置にあるか確認し、閉の位置にない場合は、閉の位置まで回転させる。
ここで、ＳＦ６ガス２０は、空気に比べ比重が５倍以上あることと、圧力計４を取り外しても、上述のように一部を回収したことにより、空気とＬＤＳ遮断部２とが同じ圧力であることとから、ＬＤＳ遮断部２外部へと漏れることはない。
【００２３】
そして、図２（ｄ）に示すように、水用ホース１３から水２１を供給し、開閉レバー１６を開の位置まで回転させる。これにより、補給口３からＬＤＳ遮断部２に水２１が注水され、内部に残っているＳＦ６ガス２０が押し上げられ、アダプタ１５からガス用ホース１２を経由し、ガス採集袋１０へと回収される（この時のＳＦ６ガス回収量は約２．２Ｌである）。
【００２４】
その後、さらに注水を行い、図２（ｅ）に示すように、ＳＦ６ガス２０が全て押し上げられた後は、アダプタ１５からガス用ホース１２を経由して、ガス採集袋１０へと水２１が流れ込む。この流れ込みを視認すると、注水を中止するとともに、レバー１６を閉の位置まで回転させる。そして、接続口１１にキャップをすることでＳＦ６ガス２０を密閉する。
【００２５】
以上のように、本発明のガス簡易回収方法は、ガス用ホース１２の一方を、ガス絶縁機器１の補給口３に接続し、他方をＳＦ６ガス２０を回収するガス採集袋１０に接続した後、ガス絶縁機器１内部の圧力が、大気圧と同じ圧力となるように補給口３を開弁することで、ＳＦ６ガス２０の一部をガス採集袋１０へ回収する第１のステップと、圧力計４を、ガス絶縁機器１から取り外した後、ガス採集袋１０を接続したガス用ホース１２を補給口３から外して圧力計４の接続口に接続する一方、補給口３から注水を行うことにより、残りのＳＦ６ガス２０をガス用ホース１２を経由してガス採集袋１０へ回収する第２のステップと、からなることにある。
その結果、ガス絶縁機器１の運搬をする必要がなく、回収したＳＦ６ガス２０のみを運搬すれば良いため、ＳＦ６ガス２０の運搬が短時間で済み、ＳＦ６ガス２０の回収費用を安価に抑えることもできる。他にも、ＳＦ６ガス２０を大気に放出することなく、全て回収することが可能となる。
また、水２１を使用することは、手配が容易で大量に使用しても安価であり、使用後はそのまま廃棄が可能である。加えて、水道から接続すれば、圧力調整が容易である。更に、ＳＦ６ガス２０は、水２１への溶解度が低いため不溶性ともいえ、水２１への溶け込みを考慮することなく全て回収することが可能となる。他にも、ガス用ホース１２を使用するため、たとえＳＦ６ガス２０がガス用ホース１２に残ったとしても、その残留量を最小限に抑えることができる。
【００２６】
また、第１のステップにおいて、ガス採集袋１０を、収縮状態にして補給口３に接続することにある。
その結果、ＳＦ６ガス２０を大気に放出することなく、短時間で回収することが可能となる。
【００２７】
他にも、ガス用ホース１２及び／又はガス採集袋１０を透明としたことにある。
その結果、ガス採集袋１０内にＳＦ６ガス２０が溜まるタイミングは、注水した水２１がガス用ホース１２及び／又はガス採集袋１０へと溢れ出る状態を視認すれば良く、確認が容易である。そのため、ＳＦ６ガス２０の回収の確認に特別な装置を準備したり、ＳＦ６ガス２０の量を計測するといったことが不要である。加えて、水２１の供給スピードを緩める等した慎重な対応も可能となり、ガス採集袋１０に水２１が大量に流れ込むおそれがない。
また、透明のガス用ホース１２やテトラーバッグは、一般に市販されている物であるため、容易に入手することが可能である。このうち、テトラーバッグは、軽度の衝撃に耐えうる構造であるため、輸送時の衝撃を考慮する必要がない。
【００２８】
なお、本発明のガス簡易回収方法は、上記実施形態の態様に何ら制限されるものではなく、ガス絶縁機器１における構造や構成を、本発明の趣旨を逸脱しない範囲で必要に応じて適宜変更することができる。
【００２９】
例えば、本発明のガス簡易回収方法は、ガス用ホース１２とガス採集袋１０との何れか一方が透明であっても良く、ＬＤＳ遮断部２内部に充填したＳＦ６ガス２０をガス採集袋１０に回収するものであれば適宜変更可能である。
また、アダプタ１５を、省略しても良く、同様に、ＳＦ６ガス２０をガス採集袋１０に回収するものであれば適宜変更可能である。
【００３０】
他にも、ＬＤＳ遮断部２を、圧力計４が必ず上を向くように地上に載置する必要はなく、注水を行うことにより、ＬＤＳ遮断部２内部に残ったＳＦ６ガス２０が、水２１によって押し上げられ、ガス用ホース１２を経由してガス採集袋１０へと回収されるものであれば、ガス絶縁機器１を立てて圧力計４が横を向いた状態でＳＦ６ガス２０の回収を行ったり、ガス採集袋１０を補給口３から圧力計４の接続口に繋ぎ替えずに、圧力計４を取り外して、その圧力計４の接続口から注水する方法に変更する等、適宜変更可能である。
【符号の説明】
【００３１】
１・・ガス絶縁機器、２・・ＬＤＳ遮断部、３・・補給口、４・・圧力計、１０・・ガス採集袋、１１・・接続口、１２・・ガス用ホース、１３・・水用ホース、１５・・アダプタ、１６・・開閉レバー、２０・・ＳＦ６ガス、２１・・水。
【図１】
2011060725.tif 000003
【図２】
2011060725.tif 000004